(57)【要約】【課題】アトラクションの順番予約や予約情報の確認をより簡単にする。【解決手段】順番予約受付システム２は、アミューズメント施設に入場する際に各利用者毎に配布されるチケット１０に付加され、順番予約をするための識別情報を無線通信する無線タグ１０ａと、各アトラクション毎に設けられ、無線タグ１０ａから無線で識別情報を読み出して予約を受け付け、利用者が所持する携帯電話１２、パソコン１３、携帯情報端末１４などの通信機器に予約情報を送信する予約装置１１とを備える。【選択図】        図１
2004234321.tif 000002
【特許請求の範囲】
【請求項１】
複数のアトラクション会場を有するアミューズメント施設の各アトラクションを利用する際に順番予約を受け付けるシステムにおいて、
前記アミューズメント施設に入場する際に各利用者毎に配布されるチケットに付加され、順番予約をするための識別情報を無線通信する無線タグと、
前記各アトラクション毎に設けられ、前記無線タグから無線で識別情報を読み出して予約を受け付ける受付手段、および前記利用者が所持する通信機器に予約情報を送信する送信手段を有する予約装置とを備えたことを特徴とする順番予約受付システム。
【請求項２】
前記予約装置は、前記アトラクション会場に入場しようとする利用者の予約が正しいか否かを認証する予約認証機能と、予約時間に入場しなかった利用者の予約を無効にする予約無効機能とを有することを特徴とする請求項１に記載の順番予約受付システム。
【発明の詳細な説明】
【０００１】
【発明の属する技術分野】
本発明は、複数のアトラクション会場を有するアミューズメント施設の各アトラクションを利用する際に順番予約を受け付けるシステムに関する。
【０００２】
【従来の技術】
従来、テーマパークや遊園地などのアミューズメント施設にあるアトラクションを利用する際には、利用者は利用したいアトラクション会場の前に並び、自分の順番が来るまで並びながら待っていた。しかしながら、このような場合、自分の順番が来るまで待っている時間が無駄になり、特に人気のあるアトラクションでは長時間の拘束を余儀なくされる。このため、他のアトラクションを利用したり、人によっては食事を摂る時間が無くなってしまう。また、利用者にこのような悪いイメージを持たれると、アミューズメント施設に行くこと自体を嫌がる人が出てきて、利用者数の減少につながるおそれがある。
【０００３】
上記のような問題を解決するために、利用者がアミューズメント施設に入場する際、利用者毎にＩＤコードを発行し、アミューズメント施設の敷地内に配置された予約受付端末機や、予約情報を管理する情報データベースに、インターネットを介して利用者が所有する携帯電話やパソコンなどの通信機器からアクセスしてＩＤコードを入力することで、アトラクションの予約や予約情報の確認を行う順番予約受付システムが提案されている（特許文献１参照）。
【０００４】
【特許文献１】
特開２００２−８３１９８号公報
【０００５】
【発明が解決しようとする課題】
しかしながら、特許文献１に記載されるシステムでは、予約をする際にＩＤコードを入力する手間が掛かり、利用者はＩＤコードを常に意識していなければならず、煩わしいという問題点があった。また、予約情報を確認する際に、その都度情報データベースにアクセスする必要があるため、利便性が悪いという欠点があった。
【０００６】
本発明は、より簡単にアトラクションの順番予約や予約情報の確認をすることができる順番予約受付システムを提供することを目的とする。
【０００７】
【課題を解決するための手段】
上記目的を達成するために、本発明は、複数のアトラクション会場を有するアミューズメント施設の各アトラクションを利用する際に順番予約を受け付けるシステムにおいて、前記アミューズメント施設に入場する際に各利用者毎に配布されるチケットに付加され、順番予約をするための識別情報を無線通信する無線タグと、前記各アトラクション毎に設けられ、前記無線タグから無線で識別情報を読み出して予約を受け付ける受付手段、および前記利用者が所持する通信機器に予約情報を送信する送信手段を有する予約装置とを備えたことを特徴とする。
【０００８】
なお、前記予約装置は、前記アトラクション会場に入場しようとする利用者の予約が正しいか否かを認証する予約認証機能と、予約時間に入場しなかった利用者の予約を無効にする予約無効機能とを有することが好ましい。
【０００９】
【発明の実施の形態】
図１に、本発明の順番予約受付システムの概略構成を示す。順番予約受付システム２は、アミューズメント施設のアトラクションを利用する際に順番予約を受け付けるためのものであり、アミューズメント施設に入場する際に各利用者毎に配布されるチケット１０に無線タグ１０ａが付加され、アトラクションの予約を受け付ける予約装置１１が各アトラクション会場毎に配置されている。
【００１０】
無線タグ１０ａは、無線通信機能を備えたメモリから構成されている。このメモリには、利用者がアミューズメント施設に入場した日時やチケット１０の有効期限、予め入場時にプールしてあるアトラクションの利用料金残高、利用者が所持する携帯電話１２、パソコン１３、携帯情報端末１４（以下、これらをまとめて通信機器と表現する）などにインターネット１５を介してメールを送信する際に利用するメールアドレスなど、アトラクションの順番予約をするための識別情報が書き込まれている。なお、チケット１０の発売前には、メールアドレスを除いた識別情報が予め無線タグ１０ａに書き込まれており、チケット１０の発売時には、メールアドレスのみが無線タグ１０ａに書き込まれる。また、メールアドレスを個人の識別情報として利用する代わりに、チケット１０の通し番号や利用者が所持する携帯電話の電話番号など、各個人の識別が可能なものを利用してもよい。この場合は、これらの識別情報とメールアドレスとが無線タグ１０ａに書き込まれる。
【００１１】
予約装置１１は、例えば入場ゲートのような構造を持ち、利用者がこの入場ゲートを通過することで、無線タグ１０ａに書き込まれた識別情報を無線で読み出してアトラクションの予約を受け付けるようになっている。また、予約装置１１は、利用者毎に予約情報を管理する機能を持ち、利用者毎に予約リストを作成して、予約したアトラクションの利用可能な時間などの予約情報を、利用者が所持する通信機器にインターネット１５を介してメールで送信する。
【００１２】
予約装置１１は、さらにアトラクションに入場しようとする利用者の予約が正しいか否かを認証する予約認証機能と、予約時間に入場しなかった利用者の予約を無効にする予約無効機能とを有する。予約認証機能で不可と判定された場合（予約をしていない利用者や、利用可能時間を過ぎてすでに予約の権利を失った利用者がアトラクションを利用しようとした場合）には、予約装置１１は警告を発したり、入場ゲートを閉鎖して入場を拒否する。
【００１３】
次に、上記実施形態による作用について、図２のフローチャートを参照して説明する。まず、アミューズメント施設に入場する各利用者に、無線タグ１０ａが付加されたチケット１０を配布する。利用者は順番予約をしたいアトラクションの予約装置１１を通過する。このとき、予約装置１１は、無線タグ１０ａに書き込まれた利用者の識別情報を無線で読み取り、これに基づいて予約リストを作成する。
【００１４】
予約リストの作成後、予約装置１１は、利用者の所有する通信機器に、予約したアトラクションの利用可能な時間などの情報をメール送信する。このような構成であると、利用者はＩＤコードなどの特定の番号を意識することなく、アトラクションの順番予約を行うことができる。また、予約情報が予約装置１１から自動的にメール送信されるので、システムの利便性を向上させることができる。
【００１５】
なお、予約装置１１に、利用者が所有する通信機器からの信号に応じて、予約の変更やキャンセルを行う機能や、同じ利用者が同じ時間帯に２つ以上のアトラクションの予約を行った場合や、同じ利用者が連続した時間帯で予約を行った場合など、利用者がシステムを円滑に利用することができない事象が発生したときに、利用可能なアトラクションを選択して予約する機能を付加してもよい。また、上記実施形態では、インターネットメールを利用して予約情報を送信するようにしたが、他の通信手段で予約情報を送信してもよい。
【００１６】
【発明の効果】
以上のように、本発明の順番予約受付システムによれば、アミューズメント施設に入場する際に各利用者毎に配布されるチケットに付加され、順番予約をするための識別情報を無線通信する無線タグと、各アトラクション毎に設けられ、無線タグから無線で識別情報を読み出して予約を受け付ける受付手段、および利用者が所持する通信機器に予約情報を送信する送信手段を有する予約装置とを備えたので、より簡単にアトラクションの順番予約や予約情報の確認をすることができる。
【００１７】
また、予約装置は、アトラクションに入場しようとする利用者の予約が正しいか否かを認証する予約認証機能と、予約時間に入場しなかった利用者の予約を無効にする予約無効機能とを有するので、システムの利便性をさらに向上させることができる。
【図面の簡単な説明】
【図１】本発明の順番予約受付システムの概略構成を示す図である。
【図２】順番予約受付システムの利用手順を示すフローチャートである。
【符号の説明】
２  順番予約受付システム
１０  チケット
１０ａ  無線タグ
１１  予約装置
１２  携帯電話
１３  パソコン
１４  携帯情報端末
１５  インターネット
【図１】
2004234321.tif 000003
【図２】
2004234321.tif 000004